(57)【要約】【課題】視聴制限が必要な視聴者（例えば未成年者等）に対して、ストーリー性を維持したまま、視聴制限が必要な箇所を代替内容に変更して番組を放送することができる放送信号表示装置を提供することにある。【解決手段】放送局１は、視聴制限のレベルに応じて電子番組表とコンテンツサーバ２を用意する。電子番組表には、代替内容の格納先（ＵＲＬ）を記す。コンテンツサーバ２には、代替内容（視聴制限の内容を穏便な内容に変更したもの）を格納する。放送信号表示装置３には、視聴制限のレベルを設定する。放送信号表示装置３は、放送局１から受信した映像内容の放送時、視聴制限が必要な箇所に該当すると、電子番組表に記したＵＲＬにアクセスして、コンテンツサーバ２から代替内容を取得する。放送信号表示装置３は、映像内容を取得した代替内容に差し替えて放送する。【選択図】  図１
2008109334.tif 000002
【特許請求の範囲】
【請求項１】
視聴制限のレベル毎に電子番組表を提供する電子番組表提供手段と、
放送局から映像内容を受信する映像内容受信手段と、
代替内容を取得する代替内容取得手段と、
前記映像内容受信手段により受信した映像内容を表示する表示手段と、を備えた放送信号表示装置において、
前記代替内容取得手段は、前記電子番組表に備えられた代替内容格納先ＵＲＬにアクセスすることで、ネットワークを介して視聴制限に該当する箇所毎に且つ視聴制限のレベル毎に異なる代替内容を取得し、
前記表示手段は、視聴制限箇所に該当すると、前記映像内容を前記代替内容に差し替えて表示する放送信号表示装置。
【請求項２】
放送局から映像内容を受信する映像内容受信手段と、
代替内容を取得する代替内容取得手段と、
前記映像内容受信手段により受信した映像内容を表示する表示手段と、を備えた放送信号表示装置において、
前記代替内容取得手段は、視聴制限に該当する箇所毎に応じた前記代替内容を取得し、
前記表示手段は、視聴制限箇所に該当すると、前記映像内容を前記代替内容に差し替えて放送する放送信号表示装置。
【請求項３】
前記代替内容取得手段は、視聴制限のレベル毎に異なる前記代替内容を取得する請求項２に記載の放送信号表示装置。
【請求項４】
視聴制限のレベル毎に電子番組表を提供する電子番組表提供手段、を更に備え、
前記代替内容取得手段は、前記電子番組表に備えられた代替内容格納先ＵＲＬにアクセスすることで、ネットワークを介して前記代替内容を取得する請求項２又は３の何れか一方に記載の放送信号表示装置。
【請求項５】
前記代替内容取得手段は、放送局から受信した前記代替内容を取得する請求項２又は３の何れか一方に記載の放送信号表示装置。
【発明の詳細な説明】
【技術分野】
【０００１】
この発明は、視聴が制限された放送箇所に対して代替放送を行う放送信号表示装置に関するものである。
【背景技術】
【０００２】
視聴者は、映画、ドラマ、報道、音楽等をインターネット放送、デジタルテレビ放送、ＤＶＤ等で視聴することができる。
視聴できる内容には、未成年者に対して有害な内容が含まれることがある。このため、有害の程度に応じて、未成年者の視聴を制限することができるパレンタルロック機能を用いた製品やシステムが各種考案されている。
例えば、特許文献１には、未成年者に対して有害な箇所を代替内容と差し替えて上映する上演装置について記載されている。
具体的には、特許文献１の上演装置は、放送局から配布された複数の電子番組表を保持しており、上演装置は、視聴者の認証を行うことで、視聴者の視聴制限に応じた電子番組表を提供する。例えば、成人には通常の電子番組表を提供し、未成年には視聴制限された（未成年者に対して有害な内容を含まない）電子番組表を提供する。なお、視聴制限された電子番組表には、放送時、代替内容と差し替えが必要な箇所（未成年者に対して有害な内容の箇所）の情報が含まれる。
また、上演装置には、予め代替内容が配布されており、上演装置は、放映時、未成年者に対して有害な内容の箇所を代替内容と差し替えて上映する。又は、上演装置は、未成年者に対して有害な内容の箇所を単一色に塗りつぶしたり、モザイクかけ等の画像処理を行う。
【特許文献１】特開２０００−２３２６３６号公報
【発明の開示】
【発明が解決しようとする課題】
【０００３】
しかしながら、特許文献１の上演装置は、予め代替内容を保持しているため、代替内容を保持するための記憶容量が多く必要になる。上演装置は、記憶容量の容量制限により、全ての有害な内容の箇所に適応した代替内容を保持できない。
また、単一色に塗りつぶしたり、モザイクかけ等の画像処理を行うと、視聴者にとって放送内容が理解しにくくなり、視聴者に不快感を与える。
【０００４】
したがって、この発明の目的は、視聴制限に該当する箇所毎に、適した代替内容を準備し、適した代替内容に差し替えることで、視聴者に不快感を与えずに視聴を制限することができる放送信号表示装置を提供することにある。
【課題を解決するための手段】
【０００５】
この発明は、放送局から映像内容を受信する映像内容受信手段と、代替内容を取得する代替内容取得手段と、前記映像内容受信手段により受信した映像内容を表示する表示手段と、を備えた放送信号表示装置において、前記代替内容取得手段は、視聴制限に該当する箇所毎に応じた前記代替内容を取得し、前記表示手段は、視聴制限箇所に該当すると、前記映像内容を前記代替内容に差し替えて表示することを特徴とする。
【０００６】
この構成では、放送局から受信した映像内容を表示する際に、映像内容が視聴制限に該当すると、視聴制限に該当する箇所毎に応じた代替内容を取得し、映像内容を代替内容に差し替えて表示する。これにより、番組の内容が視聴制限に該当すると、該当箇所毎に異なる代替内容に差し替えて表示することができるので、視聴制限箇所に適した代替内容に差し替えて表示することができる。このため、視聴者に対して、ストーリー性を維持したまま番組を表示することができる。
【０００７】
この発明は、前記代替内容取得手段は、視聴制限のレベル毎に異なる前記代替内容を取得することを特徴とする。
【０００８】
この構成では、視聴制限のレベルに応じて、表示する代替内容を差し替えることができる。これにより、視聴制限が必要な未成年者の年齢に応じて、視聴する代替内容を変更することができる。このため、未成年者の低年齢層には、他の未成年者より穏便な代替内容に差し替えて表示することができる。
【０００９】
この発明は、視聴制限のレベル毎に電子番組表を提供する電子番組表提供手段、を更に備え、前記代替内容取得手段は、前記電子番組表に備えられた代替内容格納先ＵＲＬにアクセスすることで、ネットワークを介して前記代替内容を取得することを特徴とする。
【００１０】
この構成では、視聴制限のレベル毎に用意された電子番組表に代替内容の格納先ＵＲＬが掲載されている。ＵＲＬにアクセスすると、ネットワークを介して代替内容を取得することができる。これにより、ネットワークに接続できる環境があれば、視聴制限のレベルに対応した適切な代替内容を取得することができる。
【００１１】
この発明は、前記代替内容取得手段は、放送局から受信した前記代替内容を取得することを特徴とする。
【００１２】
この構成では、放送局から代替内容が配信される。これにより、放送局から適切な代替内容が配信されるので、代替内容を取得するための手段等が不要である。
【発明の効果】
【００１３】
以上のように、この発明によれば、放送信号表示装置は、視聴制限が必要な視聴者（例えば未成年者等）に対して、ストーリー性を維持したまま、視聴制限が必要な箇所を代替内容に差し替えて番組を表示することができる。更に、未成年者の低年齢層には、他の未成年者より穏便な代替内容に差し替えて表示することができる。
【発明を実施するための最良の形態】
【００１４】
「第１実施形態」
本発明の第１実施形態に係る放送信号表示装置について、図１，２を参照して説明する。図１は、放送信号表示装置３を用いて放送局１から受信した映像を表示する際の環境を示す図である。図２は、パレンタルロック機能のレベルとその概要を示す表である。
図１において、放送信号表示装置３は、ネットワーク４を介して、コンテンツサーバ２と接続される。また、放送信号表示装置３は、放送局１からの映像内容を受信し表示する。
以下に、放送局１、コンテンツサーバ２、放送信号表示装置３について説明する。
【００１５】
放送局１は、アナログ電波を用いて放送を行う放送局であり、通常の映像（未成年者に対して有害な内容を含んだままの映像）を、放送信号表示装置３に対して配信する。例えば、未成年者に対して有害な内容（以下、有害な内容）として、暴力、露骨な性描写、癲癇発作誘発性等の過激な内容があげられる。
なお、本実施形態では、放送局を１つとしたが、これに限らず、複数の放送局でもよい。
【００１６】
次に、コンテンツサーバ２には、複数の電子番組表（ＥＰＧ，Ｅｌｅｃｔｒｉｃ  Ｐｒｏｇｒａｍ  Ｇｕｉｄｅ）と複数の代替内容とが格納される。ＥＰＧと代替内容とは、放送局１により提供される。ＥＰＧは、定期的に放送信号表示装置３に配信され、代替内容は、放送信号表示装置３からの要求により、放送信号表示装置３に配信される。なお、コンテンツサーバ２は、複数個から構成されてもよい。
【００１７】
ＥＰＧは、放送予定の番組表が記載されており、ＥＰＧには、各番組の有害情報が含まれる。なお、有害情報は、有害な内容が含まれる箇所（以下、有害な箇所）の放送開始時間及び終了時間とその代替内容が格納されたＵＲＬとから構成される。
なお、パレンタルレベル１〜８（図２参照）に応じて有害な箇所が異なるため、ＥＰＧはパレンタルレベル毎に提供される。また、本実施形態では、ＭＰＡＡのパレンタルレベルを用いるが、他のＴＶ  Ｐａｒｅｎｎｔａｌ  Ｇｕｉｄｅｌｉｎｅｓ等のパレンタルレベルを用いてもよい。
例えば、レベル１（一般向け用）のＥＰＧは、通常の映像（有害な内容を含んだままの映像）をそのまま表示するため、有害情報は含まれない。レベル４（保護者の強い要望がなければ１３歳未満は視聴できない）のＥＰＧは、１３歳未満が視聴するには有害であると指定された箇所に関する有害情報が含まれる。レベル７（１７歳未満は視聴できない最も厳しい規定）のＥＰＧは、有害であると指定された箇所が最も多く、最も多くの有害情報が含まれる。
【００１８】
代替内容は、有害な箇所毎に用意され、過激な内容を穏便な内容に変更したものである。
なお、代替内容は、パレンタルレベルに応じて用意する内容を変更してもよい。
例えば、レベル６（保護者の同伴がなければ１７歳未満は視聴できない）の代替内容と、レベル４（保護者の強い要望がなければ１３歳未満は視聴できない）の代替内容とでは、レベル４の代替内容の方がより内容を穏便にする。
【００１９】
放送信号表示装置３は、放送局１から配信される映像内容を表示又は記憶する装置である。例えば、放送信号表示装置３として、テレビやＤＶＤ装置等があげられる。映像内容を表示する場合は、放送信号表示装置３を、パレンタルレベルが設定できるＤＶＤ装置とモニターから構成してもよい。この場合、放送信号表示装置３は、ＤＶＤ装置で放送局１からの映像内容を受信し、必要に応じて代替内容に差し替えて、モニターから映像を出力する。
なお、本実施形態では、説明を簡単化するため、放送信号表示装置３を用いて受信した映像内容を表示する場合について説明する。
次に、放送信号表示装置３の機能構成について説明する。放送信号表示装置３は、操作部３１、番組選択部３２、ＥＰＧ格納部３２１、ＲＡＭ３３、通信制御部３４、表示部３５、放音部３６から構成される。
【００２０】
操作部３１は、複数のボタンと表示画面から構成され、パレンタルレベル、表示の開始及び終了等の操作入力を受け付ける。操作部３１は、操作内容を番組選択部３２へ出力する。
パレンタルレベルの入力には、パスワード等を用いた認証が行われる。これにより、パレンタルレベルは、視聴者の誤操作や未成年者の好奇心等により、簡単に変更できない。このため、未成年者に対して有害な内容を含む映像を未成年者に視聴させることを防ぐことができる。
【００２１】
番組選択部３２は、ＥＰＧ格納部３２１を保持する。番組選択部３２は、操作部３１の入力を受け、パレンタルレベルに対応したＥＰＧと、視聴する番組を選択する。番組選択部３２は、視聴する番組の有害情報をＲＡＭ３３へ出力するとともに、通信制御部３４に放送局１から配信された映像を受信するように指示する。
ＥＰＧ格納部３２１には、パレンタルレベルに対応した複数のＥＰＧが格納される。ＥＰＧは、定期的にネットワーク４を介してコンテンツサーバ２から提供される。
ＲＡＭ３３は、視聴する番組の有害情報を一時的に格納する記憶領域である。
【００２２】
通信制御部３４は、番組選択部３２の指示により、放送局１から配信される映像内容を受信して、デジタル信号に変換する。また、通信制御部３４は、ＬＡＮケーブル又は電話線等を利用してネットワーク４に接続され、コンテンツサーバ２からネットワーク４を介して、ＥＰＧと代替内容を取得し、デジタル信号に変換する。
更に、通信制御部３４は、ＥＰＧを番組選択部３２のＥＰＧ格納部３２１へ出力する。通信制御部３４は、放送局１から受信した映像内容を表示部３５，放音部３６へ出力する。この際、通信制御部３４は、Ｖ−ＣＨＩＰにより映像内容に有害な箇所を検知すると、放送局１から受信した映像内容の出力を中止する。それと同時に、通信制御部３４は、ＲＡＭ３３の有害情報を参照し、ネットワーク４を介してコンテンツサーバ２から代替内容の受信を開始する。通信制御部３４は、受信した代替内容を表示部３５，放音部３６へ出力する。また、通信制御部３４は、ＲＡＭ３３の有害情報を参照し、有害な箇所の終了時間が到達すると、コンテンツサーバ２から受信した代替内容の出力を中止し、放送局１から受信した映像内容を表示部３５，放音部３６へ出力する。
【００２３】
なお、通信制御部３４は、有害な箇所の表示直前にコンテンツサーバ２から代替内容の受信を完了し、一時的にＲＡＭ３３へ格納する。通信制御部３４は、有害な箇所に該当すると、表示部３５，放音部３６へ代替内容を出力する。通信制御部３４は、代替内容の出力が完了すると、代替内容をＲＡＭ３３から削除してもよい。
更に、通信制御部３４は、有害な箇所の表示直前に代替内容の受信を開始し、有害な箇所の終了直前に代替内容の受信を完了してもよい。
これにより、通信制御部３４は、表示部３５，放音部３６への出力前に代替内容を取得することができるので、放送局１から配信される映像内容から代替内容への差し替えをスムーズに行うことができる。
【００２４】
表示部３５は、モニター等から構成され、通信制御部３４から出力される映像内容（代替内容を含む）を出力する。
放音部３６は、スピーカ等から構成され、通信制御部３４から出力される映像内容（代替内容を含む）を出力する。
【００２５】
次に、表示手順について、図３を参照して説明する。
図３は、受信した映像内容及び代替内容の表示手順を示すフローチャートである。
【００２６】
Ｓ１０１にて、放送信号表示装置３は、視聴者からの操作入力を受け、パレンタルレベルが設定される。放送信号表示装置３は、設定されたパレンタルレベルに対応するＥＰＧを視聴者に提供し、Ｓ１０２へ進む。なお、パレンタルレベルの設定時、放送信号表示装置３は、視聴者にパスワードの入力を求める。また、パレンタルレベルは、番組の視聴中に随時変更可能である。
【００２７】
Ｓ１０２にて、放送信号表示装置３は、視聴者からの操作入力を受け、視聴する番組が指定される。放送信号表示装置３は、視聴する番組の有害情報を一時記憶領域に複製して、Ｓ１０３へ進む。なお、視聴する番組は、番組の視聴中に随時変更可能である。
【００２８】
Ｓ１０３にて、放送信号表示装置３は、放送局１から配信される映像内容を受信して、Ｓ１０４へ進む。
【００２９】
Ｓ１０４にて、放送信号表示装置３は、受信した映像内容から有害な箇所を検知するとＳ１０５に進み、検知しない場合は、Ｓ１０７へ進む。
【００３０】
Ｓ１０５にて、放送信号表示装置３は、自身の一時記憶領域に格納した有害情報から、代替内容の格納先ＵＲＬを取得する。放送信号表示装置３は、代替内容の格納先ＵＲＬにアクセスすることで、ネットワーク４を介してコンテンツサーバ２から代替内容を取得し、Ｓ１０６に進む。
【００３１】
Ｓ１０６にて、放送信号表示装置３は、映像内容を代替内容に差し替えて、Ｓ１０７へ進む。
【００３２】
Ｓ１０７にて、放送信号表示装置３は、自身の一時記憶領域に格納した有害情報を確認して、代替内容の表示が終了するかどうか調べる。終了する場合はＳ１０８に進み、終了しない場合はＳ１０９へ進む。
【００３３】
Ｓ１０８にて、放送信号表示装置３は、代替内容を映像内容に差し替えて、Ｓ１０９へ進む。
【００３４】
Ｓ１０９にて、放送信号表示装置３は、モニターやスピーカから映像（映像内容又は代替内容）を出力して、Ｓ１１０へ進む。
【００３５】
Ｓ１１０にて、放送信号表示装置３は、表示の終了を検出するまで、Ｓ１０３〜Ｓ１０９の処理を繰り返し実行する。放送信号表示装置３は、表示の終了を検出すると、表示を終了する。なお、表示の終了は、視聴者の放送信号表示装置３の操作により設定される。
【００３６】
以上より、本発明の第１実施形態に係る放送信号表示装置では、視聴者が指定したパレンタルレベルに応じて、未成年者に対して有害な内容を代替内容に差し替えて表示することで、過激な内容を除去することができる。また、本発明では、過激な内容を穏便な内容に差し替えて視聴者に表示するので、視聴者は、放送内容を容易に理解することができ、不快感が与えられることはない。
【００３７】
更に、本発明では、未成年者に対して有害な内容の箇所に該当すると、ネットワーク４を介して代替内容を取得するので、予め代替内容を放送信号表示装置３内に保持しておく必要かない。このため、放送信号表示装置３の記憶容量の制限に影響を受けないので、未成年者に対して有害な内容を穏便にした同じ内容の代替内容に差し替えることができる。この結果、視聴する番組から未成年者に対して有害な内容を取り除き、かつ、番組のストーリー性等を維持して表示することができる。
【００３８】
「第２実施形態」
本発明の第２実施形態に係る放送信号表示装置について、図４，５を参照して説明する。図４は、放送信号表示装置３を用いて放送局３０１から受信した映像を表示する際の環境を示す図である。図５は、受信した映像内容及び代替内容の表示手順を示すフローチャートである。
第２実施形態は、第１実施形態と異なり、図４に示すように、放送局３０１からデジタル放送として映像内容及び代替内容が放送信号表示装置３に配信される。放送信号表示装置３は、パレンタルレベルに応じて、放送局３０１から受信した映像内容と代替内容を適宜差し替えて表示する。
【００３９】
放送局３０１は、デジタル放送を行う放送局である。放送局３０１は、通常の映像内容（未成年者に対して有害な内容を含んだままの映像）と代替内容（過激な内容を穏便な内容に変換したもの）とパレンタルレベル毎の複数の有害信号とを放送信号表示装置３に対して配信する。なお、有害信号とは、有害な箇所の開始と終了を伝達する信号である。
なお、放送局３０１は、有害信号（有害な箇所の開始）と同時に映像内容と代替内容を同時に放送信号表示装置３に配信し、有害信号（有害な箇所の終了）と同時に映像内容のみを配信する。更に、放送局３０１は、放送信号表示装置３に設定されたパレンタルレベルに関係なく、全ての有害信号と代替内容とを放送信号表示装置３に配信する。
【００４０】
なお、本実施形態では、放送局３０１は、有害信号と代替内容とを同時に配信したが、有害信号の発信後、所定時間経過後に代替内容を配信してもよい。これにより、放送信号表示装置３は、映像内容と代替内容をスムーズに差し替えることができる。
更に、本実施形態では、放送局を１つとしたが、これに限らず、複数の放送局でもよい。
【００４１】
放送信号表示装置３は、操作部３１、番組選択部３３２、ＥＰＧ格納部３２１、通信制御部３３４、表示部３５、放音部３６から構成される。
【００４２】
番組選択部３３２は、ＥＰＧ格納部３２１を保持する。番組選択部３３２は、操作部３１の入力を受け、パレンタルレベルに対応したＥＰＧと、視聴する番組を選択する。番組選択部３３２は、通信制御部３４にパレンタルレベルを出力し、放送局３０１から配信された映像を受信するように指示する。
ＥＰＧ格納部３２１には、パレンタルレベルに対応した複数のＥＰＧが格納される。ＥＰＧは、定期的に放送局３０１から提供される。
【００４３】
通信制御部３３４は、番組選択部３３２の指示により、放送局３０１から配信される映像内容及び代替内容を受信する。
通信制御部３３４は、放送局３０１から受信した映像内容を表示部３５，放音部３６へ出力する。なお、通信制御部３３４は、Ｖ−ＣＨＩＰにより映像内容が設定されたパレンタルレベルに指定された有害な箇所を検出すると、放送局３０１から受信した代替内容を表示部３５，放音部３６へ出力する。また、通信制御部３４は、有害な箇所の終了時間が到達すると、放送局３０１から受信した映像内容を表示部３５，放音部３６へ出力する。
【００４４】
次に、表示手順について図５を参照して説明する。
図５は、受信した映像内容（代替内容）を表示する手順を示すフローチャートである。
【００４５】
Ｓ２０１にて、放送信号表示装置３は、視聴者からの操作入力を受け、パレンタルレベルが設定される。放送信号表示装置３は、設定されたパレンタルレベルに対応するＥＰＧを視聴者に提供し、Ｓ２０２へ進む。なお、パレンタルレベルの設定時、放送信号表示装置３は、視聴者にパスワードの入力を求める。また、パレンタルレベルは、番組の放送中に随時変更可能である。
【００４６】
Ｓ２０２にて、放送信号表示装置３は、視聴者からの操作入力を受け、視聴する番組が指定され、Ｓ２０３へ進む。なお、視聴する番組は、番組の放送中に随時変更可能である。
【００４７】
Ｓ２０３にて、放送信号表示装置３は、放送局３０１から配信される映像内容を受信して、Ｓ２０４へ進む。
【００４８】
Ｓ２０４にて、放送信号表示装置３は、放送局３０１から受信した映像内容から有害信号（有害な箇所の開始）を検出すると、映像内容を代替内容に差し替え、再度有害信号（有害な箇所の終了）を検出すると、代替内容を映像内容に差し替える（Ｓ２０５）。
【００４９】
そして、Ｓ２０６にて、放送信号表示装置３は、モニターやスピーカから映像（映像内容又は代替内容）を出力して、Ｓ２０７に進む。
【００５０】
Ｓ２０７にて、放送信号表示装置３は、表示の終了を検出するまで、Ｓ２０３〜Ｓ２０６の処理を繰り返し実行する。放送信号表示装置３は、表示の終了を検出すると、表示を終了する。なお、表示の終了は、視聴者の放送信号表示装置３の操作により設定される。
【００５１】
以上より、本発明の第２実施形態に係る放送信号表示装置では、視聴者が指定したパレンタルレベルに応じて、未成年者に対して有害な内容を代替内容に差し替えて表示することで、過激な内容を除去することができる。また、本発明では、過激な内容を穏便な内容に差し替えて視聴者に表示するので、視聴者は、放送内容を容易に理解することができ、不快感が与えられることはない。
【００５２】
更に、本発明では、通常の映像内容（未成年者に対して有害な箇所を含む）と代替内容とを放送局３０１から同時に受信するので、予め代替内容を放送信号表示装置３内に保持しておく必要かない。このため、放送信号表示装置３の記憶容量の制限に影響を受けないので、未成年者に対して有害な内容を穏便にした同じ内容の代替内容に差し替えることができる。この結果、視聴する番組から未成年者に対して有害な内容を取り除き、かつ、番組のストーリー性等を維持して表示することができる。
【図面の簡単な説明】
【００５３】
【図１】放送信号表示装置３を用いて放送局１から受信した映像を放送する際の環境を示す図である。
【図２】パレンタルロック機能のレベルとその概要を示す表である。
【図３】受信した映像内容及び代替内容の表示手順を示すフローチャートである。
【図４】放送信号表示装置３を用いて放送局３０１から受信した映像を放送する際の環境を示す図である。
【図５】受信した映像内容及び代替内容の表示手順を示すフローチャートである。
【符号の説明】
【００５４】
１，３０１−放送局，２−コンテンツサーバ，３−放送信号表示装置，４−ネットワーク，３１−操作部，３２−操作内容を番組選択部，３２，３３２−番組選択部，３３−ＲＡＭ，３４，３３４−通信制御部，３５−表示部，３６−放音部，３２１−ＥＰＧ格納部
【図１】
2008109334.tif 000003
【図２】
2008109334.tif 000004
【図３】
2008109334.tif 000005
【図４】
2008109334.tif 000006
【図５】
2008109334.tif 000007